(57)【要約】【課題】採光面積を大きく確保し、快適な室内空間とすることが可能な開口部装置及び該開口部装置に配設される網戸を提供する。【解決手段】建物開口部の４辺に沿って取り付けられた枠体９０、９０と、該枠体内に配置された網戸１０とを備えた開口部装置１００において、網戸が一対の縦框１２、１２及び一対の横框が組み合わされて枠状に形成される框と、網状の面材であり框内に配設される網材１３とを備え、一対の縦框又は一対の横框のうちの少なくとも一方の一部又は全部が室内側又は室外側正面視で枠体内に隠蔽されて配置されるものとする。【選択図】図３
2007177431.tif 000002
【特許請求の範囲】
【請求項１】
建物開口部の４辺に沿って取り付けられた枠体と、該枠体内に配置された網戸とを備えた開口部装置であって、
前記網戸が、
一対の縦框及び一対の横框が組み合わされて枠状に形成される框と、
網状の面材であり前記框内に配設される網材と、を備え、
前記一対の縦框又は前記一対の横框のうちの少なくとも一方の一部又は全部が室内側又は室外側正面視で前記枠体内に隠蔽されて配置されることを特徴とする開口部装置。
【請求項２】
前記網戸の前記一対の縦框又は前記一対の横框のうちの少なくとも一方が長さ方向に伸縮可能とされることにより、
伸展した時に前記枠体内に装着可能で、縮小した時に前記枠体から取り外し可能であることを特徴とする請求項１に記載の開口部装置。
【請求項３】
前記網戸の前記一対の縦框又は前記一対の横框のうちの少なくとも一方が、
主框と、
前記主框の端部に備えられる端部框と、を有し、
前記端部框が入子式に伸縮可能とされることを特徴とする請求項１又は２に記載の開口部装置。
【請求項４】
建物開口部の４辺に沿って取り付けられた枠体内に配置される網戸であって、
一対の縦框及び一対の横框が組み合わされて枠状に形成される框と、
網状の面材であり前記框内に配設される網材と、を備え、
前記一対の縦框又は前記一対の横框のうちの少なくとも一方が長さ方向に伸縮可能とされることを特徴とする網戸。
【請求項５】
前記一対の縦框又は前記一対の横框のうちの少なくとも一方が、
主框と、
前記主框の端部に備えられる端部框と、を有し、
前記端部框が入子式に伸縮可能とされることを特徴とする請求項４に記載の網戸。
【発明の詳細な説明】
【技術分野】
【０００１】
本発明は、戸建やマンション、オフィスビルや公共施設等の建物の開口部に備えられる開口部装置及び該開口部装置に配設される網戸に関し、詳しくは採光部を大きく確保することのできる開口部装置及び該開口部装置に配設される網戸に関する。
【背景技術】
【０００２】
近年、建物に対する需要者の要求は多様化し、より快適で機能性の高い建物が必要とされている。かかる事情により建物の随所に適用される該建物の各構成要素の各々にも快適で機能性の高いものが採用される傾向にある。
【０００３】
建物開口部に設けられる網戸を有する開口部装置も例外ではない。該開口部装置の網戸は、網戸の室内側又は室外側に配置された窓等が開放されたときに、ハエ・蚊等の不快な害虫が室内に侵入することを防ぐことを目的とした網状の面材を有する戸体である。網戸にはこの目的に加えて、例えば該網戸が建物開口部に配置されたときの室内空間の快適性、又は清掃のための着脱の容易性等が求められる。
【０００４】
従来の開口部装置の網戸は網状の面材である網材と、該網材の４辺に配置される框とを備えている。網材はその４辺の端部を該框に固定されることによって所定の張りを維持して框に取り付けられる。そしてこのように構成された網戸が開口部装置に取り付けられている。
【０００５】
図１７は、従来の開口部装置の一態様である開口部装置５００が建物開口部に取り付けられた場合における室内側正面図である。図１７ではＰで示した縁の外側は建物の内壁を表している。開口部装置５００は、建物開口部に沿って取り付けられた枠体と、該枠体内に配置された障子（窓）と、該障子の室内側に設けられた網戸（５１０）とを備えている。障子は網戸５１０の室外側に配置されているので、図１７では見えない。該障子は、網戸５１０の下方に設けられ室内側に延在する操作部５９５を操作して開閉させることができる。本態様における障子はいわゆる突出し窓である。
【０００６】
網戸５１０は網材５１３と、該網材５１３の４辺に取り付けられた横框５１１、５１１、縦框５１２、５１２とを備えている。そして室内側から横框５１１、５１１、縦框５１２、５１２が正面視で見えるように構成されている。このような網戸５１０を有する開口部装置５００の構成を開示する文献は特にないが、当業者により通常に採用されているものであり、実際の網戸はかかる構成を有して建物に取り付けられている。
【発明の開示】
【発明が解決しようとする課題】
【０００７】
しかし、図１７からわかるように従来の開口部装置５００に備えられる網戸５１０では、横框５１１、５１１、縦框５１２、５１２が室内側正面視で視認可能である。これにより網材５１３の面積が小さくなり、採光面積が小さくなる問題があった。
【０００８】
また、横框５１１、５１１、縦框５１２、５１２が網材５１３を厚く縁取って見えるので開口部が小さく見えてしまうという意匠上の問題もあった。
【０００９】
そこで本発明は、採光面積を大きく確保し、明るく快適な室内空間とすることが可能な開口部装置及び該開口部装置に配設される網戸を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１の発明は、建物開口部の４辺に沿って取り付けられた枠体（９０、９０）と、該枠体内に配置された網戸（１０）とを備えた開口部装置（１００）であって、網戸が、一対の縦框（１２、１２）及び一対の横框（１１、１１）が組み合わされて枠状に形成される框と、網状の面材であり框内に配設される網材（１３）とを備え、一対の縦框又は一対の横框のうちの少なくとも一方の一部又は全部が室内側又は室外側正面視で枠体内に隠蔽されて配置されることを特徴とする開口部装置を提供することにより前記課題を解決する。
【００１２】
ここで、「一部又は全部が室外側又は室内側正面視で枠体内に隠蔽されて配置される。」の「一部」とは、室外側又は室内側正面視で網戸の框が従来の開口部装置と比較して多く隠蔽されていれば良い。具体的には一本の框の幅の４０％以上が隠蔽されていることが好ましい。
【００１３】
請求項２に記載の発明は、請求項１に記載の開口部装置（１００）の網戸（１０）の一対の縦框（１２、１２）又は一対の横框（１１、１１）のうちの少なくとも一方が長さ方向に伸縮可能とされることにより、伸展した時に枠体（９０、９０）内に装着可能で、縮小した時に枠体から取り外し可能であることを特徴とする。
【００１４】
請求項３に記載の発明は、請求項１又は２に記載の開口部装置（１００）の網戸（１０）の一対の縦框（１２、１２）又は一対の横框（１１、１１）のうちの少なくとも一方が、主框（２０、２０）と、主框の端部に備えられる端部框（２１、２１）とを有し、端部框が入子式に伸縮可能とされることを特徴とする。
【００１５】
請求項４に記載の発明は、建物開口部の４辺に沿って取り付けられた枠体（９０、９０）の内側に配置される網戸（１０）であって、一対の縦框（１２、１２）及び一対の横框（１１、１１）が組み合わされて枠状に形成される框と、網状の面材であり框内に配設される網材（１３）とを備え、一対の縦框又は一対の横框のうちの少なくとも一方が長さ方向に伸縮可能とされることを特徴とする網戸を提供することにより前記課題を解決する。
【００１６】
請求項５に記載の発明は、請求項４に記載の網戸（１０）の一対の縦框（１２、１２）又は一対の横框（１１、１１）のうちの少なくとも一方が、主框（２０、２０）と、主框の端部に備えられる端部框（２１、２１）とを有し、端部框が入子式に伸縮可能とされることを特徴とする。
【発明の効果】
【００１７】
請求項１に記載の発明によれば、採光面積を大きくし快適な室内空間を提供することができる開口部装置となる。また、網材の周りに厚い框が見えないので開放感のある室内空間とすることもできる。
【００１８】
請求項２に記載の発明によれば、請求項１に記載の開口部装置に備えられた網戸の框が長さ方向に伸縮するので、網戸の幅又は高さが変化し、該網戸を枠体に容易に隠蔽して取り付けるとともに取り外すこともできる。これにより使用者は網戸を着脱し、例えば網戸の清掃等を大きな負担を感じることなくおこなうことが可能である。
【００１９】
請求項３に記載の発明によれば、請求項１又は２に記載の開口部装置に備えられた網戸の高さ又は幅を伸縮をさせるための構造を簡易に構成することができ、安価で動作の信頼性の高い開口部装置を提供することが可能である。
【００２０】
請求項４に記載の発明によれば、網戸の框が長さ方向に伸縮可能なので、幅又は高さを変化させることが可能な網戸を提供することができる。
【００２１】
請求項５に記載の発明によれば、請求項４に記載の網戸の高さ又は幅を伸縮をさせるための構造を簡易に構成することができ、安価で動作の信頼性の高い網戸とすることができる。
【００２２】
本発明のこのような作用及び利得は、次に説明する発明を実施するための最良の形態から明らかにされる。
【発明を実施するための最良の形態】
【００２３】
以下本発明を図面に示す実施形態に基づき説明する。
【００２４】
図１は第一実施形態にかかる本発明の開口部装置１００を備えた建物１５０の外観を示す正面図である。建物１５０は１階及び２階からなり、各階に開口部を有している。１階には玄関１１０や窓１２０が、２階にも窓１３０が備えられている。２階にはさらに突出し窓である障子９６を有する開口部装置１００が設けられ、該障子９６の室内側に網戸１０が配置されている。開口部装置１００は、本実施形態のような住宅に限定されず、あらゆる建物に適用することができる。これには例えばマンションや公共施設、オフィス等の大型建物等を挙げることができる。
【００２５】
図２は、本発明の開口部装置１００が建物１５０に設置された状態における該開口部装置１００の室内視正面図である。図２ではＡで示した縁の外側は建物の内壁を表している。本実施形態おいて網戸１０は開口部装置１００の室内側に配置され、突出し窓である障子９６（図１、図３参照）は網戸１０の室外側に備えられている。使用者は障子９６を開閉する際に、障子９６の下端に取り付けられ室内側に延在する操作部９５を操作する。これにより障子９６を開閉することができる。そして網戸１０は該障子９６が解放されたときにハエ・蚊等の不快な害虫が室内へ侵入することを防ぐ。
【００２６】
かかる状態で網戸１０のうち、室内側からは網材１３、及び横框１１、１１のみが見え、縦框１２、１２（図３参照）は見えない。よって、建物開口部を広く有効に活用することができ、採光面積を従来に比べて大きくとることができる。これにより、快適な室内空間を提供することが可能となる。開口部装置１００及び網戸１０の構造については後で詳しく説明する。
【００２７】
また、縦框１２、１２が見えないので網材１３が縁取られている印象を与えず、開口部が広く見えるので使用者にとって開放感のある網戸１０を備えた開口部装置１００とすることもできる。
【００２８】
次に開口部装置１００の構造を説明する。図３に開口部装置１００の高さ方向略中央における水平断面図を示す。図３では紙面上が室外側、紙面下が室内側である。図３からわかるように開口部装置１００は、障子９６と、網戸１０とが室内外に略平行に並べられ、該障子９６及び網戸１０の両端部が枠体９０、９０に取り付けられて保持されている。枠体９０、９０を建物の開口部に取り付けることにより開口部装置１００が建物に取り付けられる。
【００２９】
開口部装置１００では、室内側正面視で視認可能な縁を構成するＡ、Ａで示した縁を表す線よりも網戸１０の縦框１２、１２の全部が開口部装置１００の幅方向外側に配置される。従って、縦框１２、１２は室内側正面視で隠蔽され、上述したような採光面積が広く、快適な開口部装置１００とすることができる。
【００３０】
本実施形態では、図３にＡ、Ａで示した線よりも縦框１２、１２の全部が開口部装置１００の幅方向外側に配置されたが、Ａ、Ａで示した線よりもある程度縦框１２、１２が該網戸１０の中心側に配置されても本発明の上記効果を発揮することができる。従来の網戸と比較して網戸の框がより大きく開口部装置１００の幅方向外側に隠蔽されれば本発明の開口部装置とするこができる。具体的には縦框１２、１２の幅の４０％以上が隠蔽されることが好ましい。次に開口部装置１００に備えられる各部材について説明する。
【００３１】
枠体９０、９０は建物開口部の４辺に沿って取り付けられる棒材であり、図３からわかるようにその内側に障子９６及び網戸１０の端部が取り付けられる断面形状を有している。具体的には、開口部の中央方向に向けて開口したコの字型の断面形状を備え、該コの字型の断面の内側に障子９６及び網戸１０の端部が配置されることにより障子９６及び網戸１０が枠体９０、９０に取り付けられる。
【００３２】
障子９６は、いわゆる窓であり、ガラスパネル９７と該ガラスパネル９７の外周端部に取り付けられた障子の框９８、９８とを備えている。
【００３３】
次に網戸１０について説明する。図４に網戸１０の室内側正面図を示した。また、図５には網戸１０が開口部装置１００に取り付けられる姿勢における分解正面図を示した。図５も図４と同様に室内側からの正面図である。図４、図５及び適宜示した図を参照しつつ網戸１０ついて説明する。また、同じ部材が複数用いられているものについては、そのうちの１つについてのみ説明することがある。
【００３４】
網戸１０は、網状の面材である網材１３と、横框１１、１１と、縦框１２、１２と、網材１３を横框１１、１１及び縦框１２、１２のそれぞれに固定する網押し棒１４とを備えている。以下、各部材について説明する。
【００３５】
網材１３は、網状の面材である。網材１３は実際に害虫等の侵入を防ぐ部分と、縦框１２、１２及び横框１１、１１に取り付けられる部分とを合わせた大きさとされている。網材１３の材質は特に限定されるものではないが、通常の網戸に用いられる網材を使用することができる。これには例えばステンレス鋼、ＰＰ、ガラス繊維、ＰＶＣ、ポリエステル等による網材を挙げることができる。
【００３６】
網押し棒１４は、環状に形成された棒材である。網押し棒１４の材質は特に限定されるものではない。ただし、網押し棒１４には後述するように網材１３の外周端部が巻きつけられ、該巻きつけられた状態で横框１１の溝２０ａ（図６参照）、４２ａ（図８参照）及び縦框１２の溝（不図示）に嵌めこまれるので、所定の柔軟性を有する材料であることが好ましい。これには例えばゴム系の材料を挙げることができる。
【００３７】
横框１１は、主横框２０と、該主横框２０の両端に取り付けられた端部横框２１、２１とを備えている。さらに端部横框２１、２１は、挿入部材３０と、被挿入部材４０とを有している。各々について説明する。主横框２０は棒状の部材である。図６に主横框２０の一端側に注目した斜視図を示した。このように主横框２０は断面が矩形であり略矩形である中空部２０ｂを有する。また主横框２０の１つの外面には溝２０ａが設けられている。該溝２０ａには上述した網押し棒１４が網材１３の端部とともに嵌め込まれる。従って、溝２０ａが設けられた面が網材１３に向くように配置される。
【００３８】
挿入部材３０は、図５からわかるように垂直である棒状の連結部３１と、該連結部３１の一端から水平に延在する嵌入部３２と、レバー３６とを備えている。図７に挿入部材３０の分解斜視図を示した。図７では紙面左下が室内側、紙面右上が室外側である。連結部３１はその外形が後述の縦框１２の中空部１２ｂ（図５参照）の内側に挿入可能に形成されている。一方、嵌入部３２は矩形の断面を有する筒状の部材で、連結部３１とは反対の端部上面に突起３５が設けられている。また、嵌入部３２の室内側に配置される面には該嵌入部３２の室内側の壁を室内外方向に貫通する貫通孔３３と、該貫通孔３３の中心を中心とした円弧状の溝３４とが設けられている。さらにレバー３６は、室内外方向を厚み方向とし、長辺と短辺を有する矩形の平板である平板部３７と、該平板部３７の室外側面から突出した軸３８とを備えている。軸３８は、貫通孔３３に挿入可能な断面形状を有している。また、平板部３７の室外側面には突起が設けられている（該突起は図７では死角となり見えない。）。該突起は軸３８が貫通孔３３に挿入された姿勢で溝３４の内側に配置される。従って、レバー３６は、軸３８が貫通孔３３内に配置されることによって、該軸３８を中心に長辺が水平である姿勢と短辺が水平である姿勢とに回動させることが可能となる。加えて不図示の突起が溝３４内に配置されることにより、該回動が溝３４の範囲に制限される。
【００３９】
被挿入部材４０の斜視図を図８に示した。図８では２つの異なる視点から被挿入部材４０を示している。（ａ）では紙面左下が室内側、紙面右上が室外側であり、（ｂ）では紙面右上が室内側、紙面左下が室外側である。被挿入部材４０は、水平である棒状の連結部４１と、該連結部４１の一端から水平に延在する被嵌入部４２とを備えている。連結部４１はその外形が主横框２０の中空部２０ｂ（図６参照）の内側に挿入可能に形成されている。被嵌入部４２は矩形の断面を有する筒状の部材で、上面に室内外方向に直交する方向のスリット４３が設けられている。また、図８（ｂ）からわかるように被嵌入部４２の網材１３の配置される面には溝４２ａを有している。該溝４２ａには網材１３の端部が巻きつけられた網押し棒１４が嵌め込まれる。
【００４０】
図９に、挿入部材３０と被挿入部材４０とが組み合わせられた状態における端部横框２１の斜視図を示した。図９では紙面左下が室内側、紙面右上が室外側である。挿入部材３０と被挿入部材４０とは、挿入部材３０の嵌入部３２の一端が被挿入部材４０の被嵌入部４２の内側に嵌入されることにより組み合わせられる。このとき嵌入部３２の上面に設けられた突起３５が被嵌入部４２の上面に設けられたスリット４３の内側に配置される。これにより嵌入部３２は突起３５がスリット４３内で移動可能な範囲で移動することができる。また、図９からわかるように、レバー３６の平板部３７は、嵌入部３２の室内側面上に配置されるので、平板部３７によって嵌入部３２はこれ以上被嵌入部４２の内側に入ることができない。従って、嵌入部３２の被嵌入部４２への挿入可能な範囲はレバー３６の平板部３７の長辺が水平であるか短辺が水平であるかによって異なる。
【００４１】
図１０に具体的に嵌入部３２が被嵌入部４２の内側を移動する場面を図１０（ａ）〜図１０（ｃ）で順を追って示した。図１０における視点は図９と同じである。図１０（ａ）において、レバー３６の平板部３７の長辺が水平である姿勢で、嵌入部３２が被嵌入部４２の内側に配置されている。従って図１０（ａ）に示した姿勢では、嵌入部３２の被嵌入部４２の挿入が最も浅い状態である。このとき嵌入部３２の突起３５は、被嵌入部４２のスリット４３の最も挿入部材３０側に配置されているので、嵌入部３２が被嵌入部４２から抜け出す方向にも移動することはできない。よって、図１０（ａ）に示した端部横框２１の姿勢では、嵌入部３２と被嵌入部４２とは、いずれの方向にも移動することができず固定された状態である。
【００４２】
次に、図１０（ａ）に矢印Ｂで示した方向に平板部３７を回動させ、図１０（ｂ）に示した姿勢とする。すると、平板部３７の短辺が水平とされ、平板部３７と被嵌入部４２との間に間隙が生じる。これにより図１０（ｂ）にＣで示した方向に挿入部材３０を移動することが可能となる。そして最終的に端部横框２１を図１０（ｃ）に示した姿勢とすることができる。また、逆に図１０（ｃ）に示した端部横框２１の姿勢から遡り、図１０（ａ）に示した姿勢とすることも可能である。このようにして、端部横框２１を変形することができる。
【００４３】
図１０に示した端部横框２１では、レバー３６は時計回りさせることにより、挿入部材３０を被挿入部材４０へさらに挿入することが可能となるが、これがレバーを反時計回りさせることにより挿入部材を被挿入部材へさらに挿入させることが可能となる構成であっても良い。
【００４４】
縦框１２は、その断面形状は図６に示した主横框２０と略同一であり、該主横框２０とは配置される向き及び長さが異なるのみである。従ってここでは説明を省略する。
【００４５】
以上のような各構成要素を有する網戸１０の組み立ての一例を図４及び図５を参照しつつ説明する。初めに網押し棒１４に網材１３の外周端部が巻きつけられる。一方、主横框２０、２０の中空部２０ｂ、２０ｂに該主横框２０、２０の両端から端部横框２１、２１、２１、２１の連結部４１、４１、４１、４１が連結され横框１１、１１とされる。また、端部横框２１、２１、２１、２１の連結部３１、３１、３１、３１を縦框１２、１２の中空部１２ｂ、１２ｂ、１２ｂ、１２ｂに連結する。これにより矩形である環状の枠状体が形成される。次に、横框１１、１１、縦框１２、１２の網材１３側の面に設けられた溝（溝２０ａ、２０ａ、４２ａ、４２ａ等）に、網材１３の端部が巻きつけられた網押し棒１４が嵌め込まれる。これによって網材１３が横框１１、１１、縦框１２、１２に固定される。このとき、端部横框２１、２１、２１、２１の挿入部材３０、３０、３０、３０に備えられた平板部３７、３７、３７、３７の長辺が水平となる姿勢で網材１３が所定の張りを有して取り付けられるようにする。
【００４６】
以上のように組み立てられた網戸１０について、上述した端部横框２１の変形による該網戸１０の変形について図１０及び図１１を参照しつつ説明する。図１１は網戸１０を室内側から見た正面図である。図１１（ａ）〜図１１（ｃ）では理解し易さのため端部横框２１の姿勢が図１０（ａ）〜図１０（ｃ）に対応している。図１１（ａ）のように組み立てられた網戸１０では、端部横框２１は図１０（ａ）に示した姿勢とされている。次に、平板部３７を図１０（ａ）に矢印Ｂで示した方向に回動させると、端部横框２１は図１０（ｂ）に示した姿勢となる。このとき網戸１０は図１１（ｂ）に示した姿勢である。図１１（ａ）及び図１１（ｂ）では網戸１０の横幅は図１１（ｂ）に矢印Ｄで示した大きさである。
【００４７】
図１１（ｂ）に示した姿勢では、端部横框２１は上述のように図１０（ｂ）に矢印Ｃで示した方向に移動することが可能である。従って網戸１０は図１１（ｃ）に示したような変形をすることができる。このときの網戸１０の横幅は図１１（ｃ）に矢印Ｅで示した大きさとなる。これは図１０に矢印Ｄで示した大きさよりも短い。
【００４８】
このように網戸１０では、一対の水平である横框１１、１１が入子式に伸縮可能なのでその幅を変化させることができる。これにより縦框１２、１２を室内視で隠蔽可能に配置できるとともに、建物開口部から容易に着脱可能である網戸１０を提供することが可能となる。
【００４９】
次に図３に示した開口部装置１００から、網戸１０を取り外す場合の開口部装置１００について説明する。図１２に網戸１０を取り外す場面における開口部装置１００の水平断面図を示す。視点は図３と同じである。網戸１０は上述した端部横框２１、２１、２１、２１の機構により幅方向を伸縮可能とされている。従って使用者は、図３に示した網戸１０が取り付けられた状態から端部横框２１、２１、２１、２１を操作し、図１２に示すように左右の縦框１２、１２の間隔を狭くするように移動して網戸１０を取り外すことができる。これにより網戸１０を容易に取り外すことができ、使用者は手軽に網戸１０の清掃等をすることが可能となる。また、網戸１０の幅を変化させることによって取り外しを可能としたので、網戸１０を保持する枠体９０、９０の間隔は従来の網戸の間隔と同じとすることができる。これにより枠体９０、９０の間隔を従来に比べて広げる必要もなく、設計の大幅な変更や枠体９０、９０が全体として大きくなることを防ぐことができ、設計の自由度が高い開口部装置１００とすることができる。
【００５０】
網戸１０を開口部装置１００に取り付ける時には上述の手順を遡るように操作すればよい。
【００５１】
以上に説明した第一実施形態に係る本発明の開口部装置１００では、網戸１０の横框１１、１１が伸縮可能とされることにより網戸１０の左右方向幅を変化させることができる。さらに変形例として縦框を伸縮可能とし、上下方向に高さを変えることができる網戸であってもよい。この場合には、上下の框が室内側正面視から隠蔽される開口部装置とすることができる。
【００５２】
また、網戸１０では、横框１１、１１の両端に端部横框２１、２１、２１、２１が配置されていたが、一方の端部のみに端部横框が配置されてもよい。いずれにおいても網戸の幅を伸縮可能とすれば本発明の開口部装置とすることができる。
【００５３】
図１３に第二実施形態にかかる本発明の開口部装置のうち網戸２１０の正面図を示した。網戸２１０以外の開口部装置の部分については、第一実施形態の開口部装置１００と同じなのでここでは説明を省略する。図１３（ａ）は、網戸２１０の幅が最も広くされたときの正面図、図１３（ｂ）は網戸２１０の幅が最も狭くされたときの正面図である。従って図１３に矢印Ｇ及びＪで示した大きさはＪがＧよりも小さい。このように網戸２１０でも上述した網戸１０と同様、幅方向に伸縮可能な網戸２１０とすることができ、開口部装置１００と同様の効果を得ることが可能である。
【００５４】
網戸２１０は、端部横框２２１が網戸１０の端部横框２１と異なる構造を有している。他の部分は網戸１０と同じなので説明は省略する。図１３で付された各部材の符号は、端部横框２２１以外は第一実施形態の網戸１０に対応するものであり、具体的には下２桁が同じであれば部材の名称及びその機能は同じである。
【００５５】
図１４には網戸２１０の端部横框２２１の上面図を示した。図１４（ａ）は図１３（ａ）にＦで示した端部横框２２１を紙面上方から見た図である。図１４（ｂ）は図１３（ｂ）にＨで示した端部横框２２１を紙面上方から見た図である。従って図１４では紙面上が室外側、紙面下が室内側である。また、理解容易のため一部を破断して示している。
【００５６】
端部横框２２１は、端部横框２１と同様に被挿入部材２４０の被嵌入部２４２の内側に入子式に挿入部材２３０の嵌入部２３２を挿入することにより伸縮可能とされている。端部横框２２１は、嵌入部２３２の室内側に設けられた凹状部にボタン２３７と弾性部材２３８とを備えている。弾性部材２３８はボタン２３７と嵌入部２３２との間に配置される。図１４（ａ）に示した姿勢でボタン２３７は嵌入部２３２より室内側に突出して配置される。従ってこの場合には嵌入部２３２はボタン２３７が被嵌入部２４２に引っ掛かることによりこれ以上被嵌入部２４２に嵌入部２３２を入れることはできない。
【００５７】
かかる場合からボタン２３７を室外側に押し込むことによりボタン２３７の全部を嵌入部２３２の凹状部の内側に没入させる。これにより、ボタン２３７は被嵌入部２４２に引っ掛からなくなり、図１４（ｂ）に示したようにさらに嵌入部２３２を被嵌入部２４２に入れることができる。
【００５８】
逆に図１４（ｂ）の状態から挿入部材２３０を被挿入部材２４０から引き出すと、弾性部材２３８の付勢によりボタン２３７は嵌入部２３２の凹状部の外側に突出するように移動する。
【００５９】
以上のような端部横框２２１を有する網戸２１０により図１３に示したように網戸２１０の幅を伸縮することができ、上述した網戸１０と同様の効果を得ることが可能となる。
【００６０】
図１５に第三実施形態にかかる本発明の開口部装置に備えられる網戸３１０の正面図を示した。網戸３１０以外の開口部装置の部分については、第一実施形態の開口部装置１００と同じなのでここでは説明を省略する。図１５（ａ）は、網戸３１０の幅が最も広くされたときの正面図、図１５（ｂ）は網戸３１０の幅が最も狭くされたときの正面図である。従って図１５に矢印Ｌ及びＮで示した大きさはＮがＬよりも小さい。このように網戸３１０でも上述した網戸１０と同様、幅方向に伸縮可能な網戸３１０を提供することができ、開口部装置１００と同様の効果を得ることが可能である。
【００６１】
網戸３１０は、端部横框３２１が網戸１０の端部横框２１と異なる構造を有している。他の部分は網戸１０と同じなので説明は省略する。図１５で付された各部材の符号は、端部横框３２１以外は第一実施形態の網戸１０に対応するものであり、具体的には下２桁が同じであれば部材の名称及びその機能は同じである。
【００６２】
図１６に網戸３１０の端部横框３２１の上面図を示した。図１６（ａ）は図１５（ａ）にＫで示した端部横框３２１を紙面上方から見た図である。図１６（ｂ）は図１５（ｂ）にＭで示した端部横框３２１を紙面上方から見た図である。従って図１６では紙面上が室外側、紙面下が室内側である。また、理解容易のため一部を破断して示している。
【００６３】
端部横框３２１は、端部横框２１と同様に被挿入部材３４０の被嵌入部３４２の内側に入子式に挿入部材３３０の嵌入部３３２を挿入することにより伸縮可能とされている。端部横框３２１は、嵌入部３３２の室内側に垂直方向（紙面手前／奥方向）に配置された軸３３８と、該軸３３８を中心に回動可能なスイッチ３３７とを備えている。図１６（ａ）に示した姿勢でスイッチ３３７の室内側面は嵌入部２３２の移動方向に対して角度を有して配置され、その一端が嵌入部３３２より室内側に突出して配置される。従ってこの場合にはスイッチ３３７が被嵌入部３４２に引っ掛かることにより嵌入部３３２をこれ以上被嵌入部３４２に入れることはできない。
【００６４】
かかる場合からスイッチ３３７の室内側に突出した部分を室外側に押し込む。これによりスイッチ３３７は軸３３８を中心に回動し、該スイッチ３３７の室内側面が嵌入部３３２の移動方向に平行になるとともに、該スイッチ３３７の全部が嵌入部３３２の内側に没入する。これにより、スイッチ３３７は被嵌入部３４２に引っ掛からなくなり、図１６（ｂ）に示したようにさらに嵌入部３３２を被嵌入部３４２に入れることができる。
【００６５】
逆に図１６（ｂ）の状態から挿入部材３３０を被挿入部材３４０から引き出し、スイッチ３３７の被嵌入部３４２から遠い方の端部を室外方向に押し込むとスイッチ３３７は図１６（ａ）の姿勢となり、再び嵌入部３３２が被嵌入部３４２に入ることを禁止する。
【００６６】
以上のような端部横框３２１を有する網戸３１０により図１５に示したように網戸３１０の幅を伸縮することができ、上述した網戸１０と同様の効果を得ることが可能となる。
【００６７】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置及び該開口部装置に備えられた網戸も本発明の技術的範囲に包含されるものとして理解されなければならない。
【図面の簡単な説明】
【００６８】
【図１】第一実施形態にかかる本発明の開口部装置が備えられた建物の外観正面図である。
【図２】開口部装置が建物開口部に備えられたときの室内視正面図である。
【図３】本発明の開口部装置の高さ方向略中央における断面図である。
【図４】第一実施形態にかかる本発明の開口部装置に備えられる網戸の正面図である。
【図５】図４に示した網戸の分解正面図である。
【図６】主横框の端部に注目して示した斜視図である。
【図７】端部横框の挿入部材の分解斜視図である。
【図８】端部横框の被挿入部材の斜視図である。
【図９】端部横框の斜視図である。
【図１０】端部横框の伸縮の手順を順を追って示す斜視図である。
【図１１】網戸の幅の変形の手順を順を追って示す正面図である。
【図１２】図３に示した開口部装置から網戸を取り外す場面を示す断面図である。
【図１３】第二実施形態にかかる本発明の開口部装置に備えられる網戸の正面図である。
【図１４】図１３に示した網戸の端部横框の上面図である。
【図１５】第三実施形態にかかる本発明の開口部装置に備えられる網戸の正面図である。
【図１６】図１５に示した網戸の端部横框の上面図である。
【図１７】従来の開口部装置が取り付けられた建物開口部の室内視正面図である。
【符号の説明】
【００６９】
１０  網戸
１１  横框
１２  縦框
１３  網材
１４  網押し棒
２０  主横框
２１  端部横框
３０  挿入部材
３６  レバー
４０  被挿入部材
９０  枠体
９６  障子
１００  開口部装置
１５０  建物
【図１】
2007177431.tif 000003
【図２】
2007177431.tif 000004
【図３】
2007177431.tif 000005
【図４】
2007177431.tif 000006
【図５】
2007177431.tif 000007
【図６】
2007177431.tif 000008
【図７】
2007177431.tif 000009
【図８】
2007177431.tif 000010
【図９】
2007177431.tif 000011
【図１０】
2007177431.tif 000012
【図１１】
2007177431.tif 000013
【図１２】
2007177431.tif 000014
【図１３】
2007177431.tif 000015
【図１４】
2007177431.tif 000016
【図１５】
2007177431.tif 000017
【図１６】
2007177431.tif 000018
【図１７】
2007177431.tif 000019